(57)【要約】【課題】メモリカードが誤って引抜かれたときのメモリカードコネクタの破損を防止する。【解決手段】メモリカードコネクタ内のスライダ１２に設けたキャッチスプリング１４は、メモリカード装着時に凸形キャッチ部１５がメモリカード２１の凹部２４に係合し、先端拡幅部１５ａがロックプレート１６ａに接して、メモリカードを保持する。誤ってメモリカードが引張られた場合は、キャッチスプリング１４が取付け支点と先端拡幅部１５ａとを支点として外側へ撓み、キャッチ部がメモリカードの凹部から外れてメモリカードが取外される。メモリカードを離脱不能にロックする従来のメモリカードコネクタとは異なり、誤った引抜き操作によりメモリカードコネクタが破損することがない。【選択図】　図４
2004095418.tif 000002
【特許請求の範囲】
【請求項１】
メモリカードコネクタ内に配置したスライダに板バネであるキャッチスプリングを取付け、キャッチスプリングは先端部に凸形のキャッチ部を備え、メモリカード挿入時にキャッチ部がメモリカードの側面の凹部に係合し、メモリカードを接続位置まで挿入したときにキャッチ部がメモリカードコネクタに設けたロックプレートとメモリカードとに挟まれてメモリカードの凹部から離脱不能に保持されるメモリカードコネクタの挿抜機構において、
メモリカード装着時にロックプレートへキャッチ部の先端が接するキャッチスプリングと、メモリカード装着時にキャッチスプリングのキャッチ部の先端のみに接し、キャッチスプリングの撓み動作に干渉しないロックプレートとを備え、
メモリカードコネクタへ装着されたメモリカードへ加わる抜き方向の力に応じてキャッチスプリングが撓み、キャッチ部がメモリカードの凹部から離脱することを許容するように構成したことを特徴とするメモリカードコネクタの挿抜機構。
【請求項２】
上記キャッチスプリングのキャッチ部は、直線的斜面で構成されたほぼＶ形である請求項１記載のメモリカードコネクタの挿抜機構。
【発明の詳細な説明】
【０００１】
【発明の属する技術分野】
この発明は、メモリカードコネクタの挿抜機構に関するものであり、特に、メモリカードが誤って引抜かれた場合の破損を防止したメモリカードコネクタの挿抜機構に関するものである。
【０００２】
【従来の技術及び発明が解決しようとする課題】
従来のメモリカードコネクタを図にしたがって説明する。図５はメモリカードコネクタ１にメモリカード２１を装着した状態を示し、メモリカードコネクタ１は、樹脂製のベースフレーム２とこれに嵌合する金属製のトップカバー３とによって筐体を構成している。図６はベースフレーム２を示し、４はスライダであり、ベースフレーム２の後部（図６において左）に、メモリカード２１の端子配列に合わせてコンタクトピン５が横並びに配置されている。ベースフレーム２の左辺（図６において下）近傍にはスライダガイド６が形成されていて、スライダガイド６とトップカバー３の左側壁（図示せず）とによってスライダ４を挟んでガイドする。ベースフレーム２の後部壁面とスライダ４との間に挿入された圧縮コイルバネ７によりスライダ４は図示の前進初期位置に保持される。スライダ４に取付けられているキャッチスプリング８は、先端に円弧形のキャッチ部８ａがプレス加工されていて、キャッチ部８ａはメモリカードコネクタ１の内部空間へ突出している。
【０００３】
図７、図８はメモリカード２１を示し、挿入方向を規制するために前端左角を斜めに切り欠いた形状となっており、図８に示すように前端左の斜面部２２の裏に前後方向の溝２３が形成されていて、左側面には半円形の凹部２４が形成されている。図６に示すように、メモリカードコネクタ１のスライダ４はメモリカード２１の斜面部２２ならびに溝２３と対偶をなす形状であって、メモリカードコネクタ１にメモリカード２１を正しい向きで挿入すると、メモリカード２１の溝２３へスライダ４のアーム部４ａが進入するとともに、キャッチスプリング８のキャッチ部８ａがメモリカード２１の凹部２４に嵌合し、これと同時にメモリカード２１の斜面部２２がスライダ４の三角プレート部４ｂに接し、スライダ４はメモリカード２１に押されて後退する。
【０００４】
図９はメモリカードコネクタ１へメモリカード２１が装着された状態を示し、メモリカード２１の接点がメモリカードコネクタ１のコンタクトピン５に接触し、キャッチスプリング８のキャッチ部８ａはトップカバー３に設けたロックプレート３ａにより外側方向への移動を規制され、メモリカード２１の凹部２４へ嵌合した状態に保持されている。図示は省略するが、メモリカードコネクタ１には、スライダ４の後部側面に形成したハート形溝カムと、ベースフレーム２に設けたロックピンとによる公知のスライダロック機構が設けられており、スライダ４の前後移動に伴ってロックピンはハート形溝カムに沿って動き、スライダ４がロック位置へ後退するとロックピンがハート形溝カムの凹部に係合してスライダ４はロック位置に固定される。メモリカード２１を取外す際は、メモリカード２１を奥方向へ押せば、ロックピンがハート形溝カムの凹部から外れてスライダ４のロックが解除され、圧縮コイルバネによりスライダ４が前進してメモリカードが排出される。
【０００５】
しかし、上記の取外し操作手順を認識していないものが、メモリカードコネクタ１に装着されたメモリカード２１を取外そうとしてメモリカード２１を引張ることが起こりうる。このとき、図９に示すようにキャッチスプリング８の円弧型のキャッチ部８ａは、その前後両端が外側のロックプレート３ａに接していて殆ど撓むことができないので、キャッチ部８ａが折れ曲がったり、キャッチスプリング８が脱落したり、或いはロックされているスライダ４が無理に引張られてスライダロック機構の溝カムやロックピンが破損することが起こる。
【０００６】
そこで、メモリカードコネクタに装着されているメモリカードが引張られた場合のメモリカードコネクタの破損事故を防止するために解決すべき技術的課題が生じてくるのであり、本発明は上記課題を解決することを目的とする。
【０００７】
【課題を解決するための手段】
この発明は、上記目的を達成するために提案するものであり、メモリカードコネクタ内に配置したスライダに板バネであるキャッチスプリングを取付け、キャッチスプリングは先端部に凸形のキャッチ部を備え、メモリカード挿入時にキャッチ部がメモリカードの側面の凹部に係合し、メモリカードを接続位置まで挿入したときにキャッチ部がメモリカードコネクタに設けたロックプレートとメモリカードとに挟まれてメモリカードの凹部から離脱不能に保持されるメモリカードコネクタの挿抜機構において、メモリカード装着時にロックプレートへキャッチ部の先端が接するキャッチスプリングと、メモリカード装着時にキャッチスプリングのキャッチ部の先端のみに接し、キャッチスプリングの撓み動作に干渉しないロックプレートとを備え、メモリカードコネクタへ装着されたメモリカードへ加わる抜き方向の力に応じてキャッチスプリングが撓み、キャッチ部がメモリカードの凹部から離脱することを許容するように構成したことを特徴とするメモリカードコネクタの挿抜機構を提供するものである。
【０００８】
また、上記キャッチスプリングのキャッチ部は、直線的斜面で構成されたほぼＶ形である請求項１記載のメモリカードコネクタの挿抜機構を提供するものである。
【０００９】
【発明の実施の形態】
以下、この発明の実施の一形態を図に従って詳述する。図１はメモリカードコネクタのベースフレーム１１を示し、スライダ１２やコンタクトピン１３の配列は、図６に示した従来のメモリカードコネクタ１と同一であるが、キャッチスプリング１４の形状が相違しており、キャッチ部１５はほぼＶ形にプレス成形されていて、キャッチ部１５の先端のみが後述するトップカバーのロックプレートに接するようにしている。
【００１０】
図２は正しい向きでメモリカード２１を装着した状態を示し、従来例と同様にメモリカード２１の左側面の凹部２４にキャッチスプリング１４のキャッチ部１５が嵌合してメモリカード２１とともにスライダ１２が押し込まれ、メモリカード２１の接点とメモリカードコネクタのコンタクトピン１３が接触する。そして、図２及び図３のようにキャッチ部１５の先端拡幅部１５ａがトップカバー１６に形成したロックプレート１６ａに接して外側への移動を阻止され、キャッチ部１５がメモリカード２１の凹部２４から外れないように保持されるとともに、図２に示すスライダ１２の側面に形成したハート形溝カム１７とベースフレーム１１に取付けたロックピン１８による公知のスライダロック機構によりスライダ１２がロック位置に固定されてメモリカード２１が装着される。
【００１１】
図３は図２のＡ−Ａ線矢視図であり、ここに示すようにキャッチスプリング１４はキャッチ部１５の先端拡幅部１５ａのみが一段高いＬ形の段付形状となっている。また、トップカバー１６から垂下しているロックプレート１６ａは従来型よりも短く、先端拡幅部１５ａにのみ対峙する高さとなっていて、先端拡幅部１５ａ以外の部分には干渉しないようにしている。ロックプレート１６ａとベースフレーム１１の内部底面との間隙の上下寸法はキャッチスプリング１５の先端拡幅部１５ａを除く部分の高さよりも広くなっていて、図２及び図３のロック状態でキャッチスプリング１４のキャッチ部１５の頂点に外側方向への圧力がかかった場合に、キャッチスプリング１４は取付け支点と先端拡幅部１５ａとを支点として外側へ撓んでスライダ１２の凹部１２ａ内へ退避することができる。
【００１２】
図４は、メモリカードコネクタへ装着したメモリカード２１を抜き方向へ引張ったときの状態を示し、メモリカード２１の側面の凹部に係合しているキャッチスプリング１４のキャッチ部１５は、引抜き応力により外側へ撓んでメモリカード２１の凹部２４から外れ、メモリカード２１がメモリカードコネクタから引抜かれる。したがって、従来の挿抜機構とは異なり、メモリカードの引抜きによりキャッチスプリングが折れ曲がったり脱落したり、或いはスライダ４が無理に引っ張られてスライダロック機構の溝カム１７やロックピン１８が破損することがなく、メモリカードコネクタの破損が防止される。
【００１３】
また、キャッチ部１５の形状はほぼＶ形であって、図６に示すように後ろ側斜面（図において左）が垂直に近い角度の従来形とは異なり直線的な緩斜面であるので、メモリカード２１が引抜かれる際にメモリカード２１の凹部２４からキャッチ部１５が円滑に離脱し、キャッチスプリング１４に加わる引抜き応力が軽減されて耐久性が向上している。
【００１４】
尚、この発明は上記の実施形態に限定するものではなく、この発明の技術的範囲内において種々の改変が可能であり、この発明がそれらの改変されたものに及ぶことは当然である。
【００１５】
【発明の効果】
以上説明したように、本発明のメモリカードコネクタの挿抜機構は、装着されているメモリカードが誤って引っ張られた場合に、キャッチスプリングがメモリカードの凹部から外れてメモリカードの引抜きを許容するようにしたので、キャッチスプリングやスライダロック機構などの破損を防止できる。
【００１６】
また、キャッチ部の形状をほぼＶ形とすることにより、メモリカードが引抜かれる際にメモリカードの凹部からキャッチ部１５が円滑に離脱し、キャッチスプリングの耐久性が向上する。
【図面の簡単な説明】
【図１】本発明の実施の一形態を示し、メモリカードコネクタのベースフレームの平面図。
【図２】ベースフレームを示し、メモリカード装着状態を示す平面図。
【図３】図２のＡ−Ａ線矢視図。
【図４】ベースフレームを示し、メモリカードが引抜かれたときの状態を示す平面図。
【図５】メモリカードコネクタへメモリカードを装着した状態の斜視図。
【図６】従来例を示し、メモリカードコネクタのベースフレームの平面図。
【図７】メモリカードの斜視図。
【図８】メモリカードの底面図。
【図９】従来例を示し、メモリカード装着状態を示すベースフレームの平面図。
【符号の説明】
１１　　　　　ベースフレーム
１２　　　　　スライダ
１３　　　　　コンタクトピン
１４　　　　　キャッチスプリング
１５　　　　　キャッチ部
１５ａ　　　　先端拡幅部
１６　　　　　トップカバー
１６ａ　　　　ロックプレート
２１　　　　　メモリカード
２２　　　　　斜面部
２３　　　　　溝
２４　　　　　凹部
【図１】
2004095418.tif 000003
【図２】
2004095418.tif 000004
【図３】
2004095418.tif 000005
【図４】
2004095418.tif 000006
【図５】
2004095418.tif 000007
【図６】
2004095418.tif 000008
【図７】
2004095418.tif 000009
【図８】
2004095418.tif 000010
【図９】
2004095418.tif 000011